(57)【要約】【課題】画面の輝度レベルを部分的に変化させたときに、観察者に表示が不自然であると感じさせ難くする。【解決手段】画素ＰＸを行毎に順次選択し、選択した行が含む各画素ＰＸに映像信号を書き込み、非選択の行が含む各画素ＰＸでは既に書き込まれている映像信号に対応した大きさの駆動電流をその画素ＰＸが含む発光素子ＬＥＤに流し、１垂直周期分の映像信号から第１平均輝度レベルを算出し、この第１平均輝度レベルを垂直周期毎に１回以上更新し、選択する行が含む画素ＰＸに供給すべき映像信号から第２平均輝度レベルを算出し、この第２平均輝度レベルと、選択する行が含む画素ＰＸに１垂直周期だけ前に書き込む映像信号を用いて得られた第１平均輝度レベルに基づいて、この行の選択を終了してから次に選択するまでの非選択期間内に駆動電流を発光素子ＬＥＤに流す点灯時間を制御する。【選択図】      図１
2007279140.tif 000002
【特許請求の範囲】
【請求項１】
マトリクス状に配列すると共に発光素子を含んだ複数の画素を具備し、
前記複数の画素を行毎に順次選択し、選択した行が含む複数の画素の各々に映像信号を書き込み、非選択の行が含む複数の画素の各々では既に書き込まれている映像信号に対応した大きさの駆動電流を前記発光素子に流し、
１垂直周期分の複数の映像信号から第１平均輝度レベルを算出し、この第１平均輝度レベルを垂直周期毎に１回以上更新し、
選択する行が含む複数の画素に供給すべき複数の映像信号から第２平均輝度レベルを算出し、この第２平均輝度レベルと、前記選択する行が含む複数の画素に１垂直周期だけ前に書き込む複数の映像信号を用いて得られた第１平均輝度レベルとに基づいて、この行の選択を終了してから次に選択するまでの非選択期間内に前記駆動電流を前記発光素子に流す点灯時間を制御することを特徴とする表示装置。
【請求項２】
前記第１平均輝度レベルがより大きい場合には、前記第１平均輝度レベルがより小さい場合と比較して前記点灯時間をより短くし、前記第２平均輝度レベルがより大きい場合には、前記第２平均輝度レベルがより小さい場合と比較して前記点灯時間をより長くすることを特徴とする請求項１に記載の表示装置。
【請求項３】
マトリクス状に配列すると共に発光素子を含んだ複数の画素を具備した表示装置の駆動方法であって、
前記複数の画素を行毎に順次選択し、選択した行が含む複数の画素の各々に映像信号を書き込み、非選択の行が含む複数の画素の各々では既に書き込まれている映像信号に対応した大きさの駆動電流を前記発光素子に流し、
１垂直周期分の複数の映像信号から第１平均輝度レベルを算出し、この第１平均輝度レベルを垂直周期毎に１回以上更新し、
選択する行が含む複数の画素に供給すべき複数の映像信号から第２平均輝度レベルを算出し、この第２平均輝度レベルと、前記選択する行が含む複数の画素に１垂直周期だけ前に書き込む複数の映像信号を用いて得られた第１平均輝度レベルとに基づいて、この行の選択を終了してから次に選択するまでの非選択期間内に前記駆動電流を前記発光素子に流す点灯時間を制御することを特徴とする駆動方法。
【請求項４】
前記第１平均輝度レベルがより大きい場合には、前記第１平均輝度レベルがより小さい場合と比較して前記点灯時間をより短くし、前記第２平均輝度レベルがより大きい場合には、前記第２平均輝度レベルがより小さい場合と比較して前記点灯時間をより長くすることを特徴とする請求項３に記載の駆動方法。
【発明の詳細な説明】
【技術分野】
【０００１】
本発明は、表示装置及びその駆動方法に係り、特には、アクティブマトリクス型表示装置及びその駆動方法に関する。
【背景技術】
【０００２】
発光素子として発光素子を含んだアクティブマトリクス型表示装置では、発光素子に流す駆動電流の全画素についての和に応じて、表示画像の輝度レベルが変化する。特許文献１には、データドライバが画素に出力すべき映像信号の生成に使用する基準電圧又は基準電流を、駆動電流の和が増大したときに小さくすることが記載されている。この制御を行うと、明るい画像を表示したときの電力消費を低減することなどが可能となる。
【０００３】
ところで、表示画像の輝度レベルは、短時間で大きく変化することがある。この場合、通常、輝度レベルが変化してから暫くの間、観察者は僅かな階調の差を識別しづらい。
【０００４】
特許文献１に記載の表示方法によれば、基準電圧又は基準電流を一定とする表示方法と比較して、例えば、表示画像を低階調画像から高階調画像に切り替えた場合に、観察者はより僅かな階調の差を識別することができる。しかしながら、この方法では、表示画像を、例えば、低階調画像から大部分が低階調であり残りが高階調の画像へと切り替えた場合に、観察者は、高階調を表示している領域における僅かな階調の差を識別しづらいか、又は、低階調を表示している領域における輝度レベルの変化を知覚する可能性がある。すなわち、この方法は、画面の輝度レベルが部分的に変化したときに、観察者に表示が不自然であると感じさせる可能性がある。
【特許文献１】特開２００４−１６３６７３号公報
【発明の開示】
【発明が解決しようとする課題】
【０００５】
本発明の目的は、発光素子として発光素子を含んだアクティブマトリクス型表示装置で画面の輝度レベルを部分的に変化させたときに、観察者に表示が不自然であると感じさせ難くすることにある。
【課題を解決するための手段】
【０００６】
本発明の第１側面によると、マトリクス状に配列すると共に発光素子を含んだ複数の画素を具備し、前記複数の画素を行毎に順次選択し、選択した行が含む複数の画素の各々に映像信号を書き込み、非選択の行が含む複数の画素の各々では既に書き込まれている映像信号に対応した大きさの駆動電流を前記発光素子に流し、１垂直周期分の複数の映像信号から第１平均輝度レベルを算出し、この第１平均輝度レベルを垂直周期毎に１回以上更新し、選択する行が含む複数の画素に供給すべき複数の映像信号から第２平均輝度レベルを算出し、この第２平均輝度レベルと、前記選択する行が含む複数の画素に１垂直周期だけ前に書き込む複数の映像信号を用いて得られた第１平均輝度レベルとに基づいて、この行の選択を終了してから次に選択するまでの非選択期間内に前記駆動電流を前記発光素子に流す点灯時間を制御することを特徴とする表示装置が提供される。
【０００７】
本発明の第２側面によると、マトリクス状に配列すると共に発光素子を含んだ複数の画素を具備した表示装置の駆動方法であって、前記複数の画素を行毎に順次選択し、選択した行が含む複数の画素の各々に映像信号を書き込み、非選択の行が含む複数の画素の各々では既に書き込まれている映像信号に対応した大きさの駆動電流を前記発光素子に流し、１垂直周期分の複数の映像信号から第１平均輝度レベルを算出し、この第１平均輝度レベルを垂直周期毎に１回以上更新し、選択する行が含む複数の画素に供給すべき複数の映像信号から第２平均輝度レベルを算出し、この第２平均輝度レベルと、前記選択する行が含む複数の画素に１垂直周期だけ前に書き込む複数の映像信号を用いて得られた第１平均輝度レベルとに基づいて、この行の選択を終了してから次に選択するまでの非選択期間内に前記駆動電流を前記発光素子に流す点灯時間を制御することを特徴とする駆動方法が提供される。
【発明の効果】
【０００８】
本発明によると、発光素子として発光素子を含んだアクティブマトリクス型表示装置で画面の輝度レベルを部分的に変化させたときに、観察者に表示が不自然であると感じさせ難くすることが可能となる。
【発明を実施するための最良の形態】
【０００９】
以下、本発明の一実施の形態について、図面を参照しながら詳細に説明する。なお、各図において、同様又は類似した機能を発揮する構成要素には同一の参照符号を付し、重複する説明は省略する。
【００１０】
図１は、本発明の一実施の形態に係る表示装置を概略的に示す平面図である。図２は、図１に示す表示装置の等価回路図である。
【００１１】
この表示装置は、アクティブマトリクス型表示装置である。この表示装置は、表示パネルＤＰと、信号線駆動回路であるデータドライバＸＤＲと、走査線駆動回路であるゲートドライバＹＤＲと、制御部ＣＮＴとを含んでいる。
【００１２】
表示パネルＤＰは、例えば、ガラス基板などの絶縁基板ＳＵＢを含んでいる。
【００１３】
基板ＳＵＢ上では、画素ＰＸがマトリクス状に配列している。さらに、基板ＳＵＢ上では、各々が画素ＰＸの行方向（Ｘ方向）に延びたゲート線ＧＬ１及びＧＬ２が画素ＰＸの列方向（Ｙ方向）に交互に配列すると共に、各々がＹ方向に延びたデータ線ＤＬがＸ方向に配列している。
【００１４】
各画素ＰＸは、駆動制御素子ＤＲと、発光素子ＬＥＤと、出力制御スイッチＳＷ１と、選択用スイッチＳＷ２と、キャパシタＣとを含んでいる。
【００１５】
駆動制御素子ＤＲは、制御端子と、第１電源端子ＮＤ１に接続された第１端子と、それらの間の電圧に対応した大きさの駆動電流を出力する第２端子とを含んでいる。駆動制御素子ＤＲは、例えば、電界効果トランジスタなどのトランジスタを１つ又は複数含んでいる。本実施の形態では、駆動制御素子ＤＲとして、ｐチャネル電界効果トランジスタを使用し、そのソースは第１電源端子ＮＤ１に接続している。
【００１６】
発光素子ＬＥＤは、例えば、有機エレクトロルミネッセンス（ＥＬ）素子、無機ＥＬ素子、発光ダイオードである。本実施の形態では、発光素子ＬＥＤとして有機ＥＬ素子を使用し、その陰極を第２電源端子ＮＤ２に接続している。また、本実施の形態では、第２電源端子ＮＤ２は、第１電源端子ＮＤ１と比較してより低い電位に設定する。
【００１７】
出力制御スイッチＳＷ１は、駆動制御素子ＤＲの第２端子と第２電源端子ＮＤ２との間で、発光素子ＬＥＤと直列に接続されている。スイッチＳＷ１は、例えば、電界効果トランジスタなどのトランジスタを１つ又は複数含んでいる。本実施の形態では、スイッチＳＷ１として、ｐチャネル電界効果トランジスタを使用し、そのソースは駆動制御素子ＤＲの第２端子に接続し、ドレインは発光素子ＬＥＤの陽極に接続し、ゲートはゲート線ＧＬ１に接続している。
【００１８】
選択用スイッチＳＷ２は、駆動制御素子ＤＲの制御端子とデータ線ＤＬとの間に接続されている。スイッチＳＷ２は、例えば、電界効果トランジスタなどのトランジスタを１つ又は複数含んでいる。本実施の形態では、スイッチＳＷ２として、ｐチャネル電界効果トランジスタを使用し、そのソースは駆動制御素子ＤＲの制御端子に接続し、ドレインはデータ線ＤＬに接続し、ゲートはゲート線ＧＬ２に接続している。
【００１９】
キャパシタＣは、駆動制御素子ＤＲの制御端子と定電位端子との間に接続されている。本実施の形態では、キャパシタＣは、駆動制御素子ＤＲの制御端子と第１電源端子ＮＤ１との間に接続している。
【００２０】
データドライバＸＤＲには、データ線ＤＬが接続されている。また、データドライバＸＤＲは、制御部ＣＮＴに接続されている。データドライバＸＤＲは、シフトレジスタとデータレジスタとデジタルアナログ変換回路と出力バッファ回路とを含んでいる。出力バッファ回路は、データ線ＤＬに対応して複数のバッファアンプを含んでいる。データドライバＸＤＲには、制御部ＣＮＴから、シリアル信号としてのデジタル映像信号及び水平スタート信号と水平クロック信号とラッチ信号とを含む水平走査制御信号などが供給される。データドライバＸＤＲは、各データ線ＤＬに電圧信号としてのアナログ映像信号を出力する。
【００２１】
ゲートドライバＹＤＲには、ゲート線ＧＬ１及びＧＬ２が接続されている。また、ゲートドライバＹＤＲは、制御部ＣＮＴに接続されている。ゲートドライバＹＤＲには、制御部ＣＮＴから、垂直スタート信号及び垂直クロック信号を含む垂直走査制御信号などが供給される。ゲートドライバＹＤＲは、ゲート線ＧＬ１及びＧＬ２に電圧信号としての出力制御信号及び走査信号をそれぞれ出力する。
【００２２】
具体的には、ゲートドライバＹＤＲは、画素ＰＸを行毎に順次選択する。ゲートドライバＹＤＲは、選択している行の画素ＰＸにはゲート線ＧＬ２を介して選択用スイッチＳＷ２を閉じる走査信号を出力し、選択していない行の画素ＰＸにはゲート線ＧＬ２を介して選択用スイッチＳＷ２を開く走査信号を出力する。すなわち、選択用スイッチＳＷ２を閉じている期間がこのスイッチＳＷ２を含む画素ＰＸの選択期間であり、選択用スイッチＳＷ２を開いている期間がこのスイッチＳＷ２を含む画素ＰＸの非選択期間である。
【００２３】
データドライバＸＤＲは、ゲートドライバＹＤＲが選択すべき行の画素ＰＸに選択用スイッチＳＷ２を閉じる走査信号を出力するのと同期して、各データ線ＤＬに、選択行の画素ＰＸに書き込むべきアナログ映像信号を出力する。これにより、選択行の画素ＰＸが含む駆動制御素子ＤＲのゲート−ソース間電圧は、先のアナログ映像信号の大きさに対応した値に設定される。キャパシタＣは、このゲート−ソース間電圧を、次の選択期間を開始するまで保持する。
【００２４】
また、ゲートドライバＹＤＲは、選択すべき行の画素ＰＸには、その選択期間に先立ち、ゲート線ＧＬ１を介して出力制御スイッチＳＷ１を開く出力制御信号を出力し、その選択期間を終了後、ゲート線ＧＬ１を介して出力制御スイッチＳＷ１を閉じる出力制御信号を出力する。非選択の画素ＰＸでは、出力制御スイッチＳＷ１が閉じている間、発光素子ＬＥＤには、駆動制御素子ＤＲのゲート−ソース間電圧に対応した大きさの駆動電流が流れる。発光素子ＬＥＤは、この駆動電流の大きさに対応した輝度で発光する。
【００２５】
ゲートドライバＹＤＲは、非選択の画素ＰＸがその発光素子ＬＥＤに駆動電流を流す時間、すなわち点灯時間を変更可能である。例えば、ゲートドライバＹＤＲは、各画素ＰＸの選択期間を終了してからその画素ＰＸの出力制御スイッチＳＷ１を閉じる出力制御信号をゲート線ＧＬ１に出力するまでの時間と、各画素ＰＸの選択期間を終了してからその画素ＰＸの出力制御スイッチＳＷ１を開く出力制御信号をゲート線ＧＬ１に出力するまでの時間のいずれか一方、あるいは、両方を変更することが可能である。後で詳しく説明するように、この点灯時間の制御は制御部ＣＮＴが行う。
【００２６】
制御部ＣＮＴは、演算装置ＡＵと、ＡＰＬ記憶装置ＭＥＭ１と、参照表記憶装置ＭＥＭ２と、ＤＣ／ＤＣコンバータＣＶと、表示コントロール装置ＣＮＴ１と、ＯＮ／ＯＦＦコントロール装置ＣＮＴ２とを含んでいる。制御部ＣＮＴには、図示しない外部装置から、例えば、ＰＣ信号などの３原色信号と電源電圧とが供給される。
【００２７】
演算装置ＡＵは、外部装置から制御部ＣＮＴへと供給されたデジタル映像信号（輝度データ）を用いて演算を行い、その結果をＡＰＬ記憶装置ＭＥＭ１に出力する。具体的には、演算装置ＡＵは、画素ＰＸの１行分のデジタル映像信号が入力される度に、この１行分の輝度データの和、又は、平均値に相当する第２平均輝度レベル（average picture level: APL）を算出し、これをＡＰＬ記憶装置ＭＥＭ１に出力する。ここでは、一例として、或る行の全ての画素ＰＸで最高階調を表示する場合、この行について得られる第２平均輝度レベルを１００％とする。また、或る行の全ての画素ＰＸで最低階調を表示する場合、この行について得られる第２平均輝度レベルを０％とする。そして、或る行の全ての画素ＰＸで最高階調と最低階調との中間の階調を表示する場合、この行について得られる第２平均輝度レベルを５０％とする。なお、演算装置ＡＵの他の機能については、後で説明する。
【００２８】
ＡＰＬ記憶装置ＭＥＭ１は、演算装置ＡＵが出力した第２平均輝度レベルを記憶する。ＡＰＬ記憶装置ＭＥＭ１は、少なくとも１垂直周期分の第２平均輝度レベルを記憶可能な容量を有している。ＡＰＬ記憶装置ＭＥＭ１が記憶している第２平均輝度レベルは、後述する第１平均輝度レベルの算出に利用する。
【００２９】
参照表記憶装置ＭＥＭ２は、第１及び第２参照表を記憶している。第１参照表は、第１平均輝度レベルと後述する第１比率との関係を与える。第２参照表は、第２平均輝度レベルと後述する第２比率との関係を与える。以下に、第１及び第２参照表の例を示す。
【表１】
2007279140.tif 000003
【００３０】
【表２】
2007279140.tif 000004
【００３１】
第１及び第２参照表は、以下に説明するように、演算装置ＡＵが点灯時間を算出するのに利用する。
【００３２】
具体的には、演算装置ＡＵは、或る行の画素ＰＸへ書き込むべきアナログ映像信号の生成に使用するデジタル映像信号が入力されると、これらデジタル映像信号を用いて先に説明した第２平均輝度レベルを算出する。以下、これらアナログ映像信号を先の画素ＰＸへ書き込む書込期間を基準期間として説明を続ける。
【００３３】
演算装置ＡＵは、先の第２平均輝度レベルをＡＰＬ記憶装置ＭＥＭ１に出力すると共に、ＡＰＬ記憶装置ＭＥＭ１が記憶している１垂直周期分の第２平均輝度レベルを読み出す。演算装置ＡＵが読み出す１垂直周期分の第２平均輝度レベルは、基準期間に対して１垂直周期だけ前に書き込むべきアナログ映像信号の生成に使用するデジタル映像信号を用いて算出した第２平均輝度レベルを含んでいる。例えば、演算装置ＡＵは、基準期間を含むフィールド期間の直前のフィールド期間において、最初の行の画素ＰＸへ書き込むべきアナログ映像信号の生成に使用するデジタル映像信号を用いて算出した第２平均輝度レベルから、最後の行の画素ＰＸへ書き込むべきアナログ映像信号の生成に使用するデジタル映像信号を用いて算出した第２平均輝度レベルまでを読み出す。或いは、演算装置ＡＵは、基準期間の直前の１垂直周期分の第２平均輝度レベルを読み出してもよい。なお、「フィールド期間」は、１つのフィールド画像に対応した映像信号の書き込みを開始してから終了するまでの期間である。
【００３４】
演算装置ＡＵは、読み出した１垂直周期分の第２平均輝度レベルを用い、それらの平均に相当する第１平均輝度レベルを算出する。第１平均輝度レベルは、例えば、読み出した全ての第２平均輝度レベルが１００％である場合には１００％とし、読み出した全ての第２平均輝度レベルが０％である場合には０％とする。そして、読み出した全ての第２平均輝度レベルが０％である場合や読み出した半分の第２平均輝度レベルが１００％であり、且つ、読み出した残りの第２平均輝度レベルが０％である場合には、第１平均輝度レベルは５０％とする。
【００３５】
演算装置ＡＵは、さらに、第１及び第２平均輝度レベルを、参照表記憶装置ＭＥＭ２が記憶している第１及び第２参照表にそれぞれ参照する。演算装置ＡＵは、その結果として得られる第１及び第２比率に基づいて、基準期間を終了してから先の行の画素ＰＸを次に選択するまでの非選択期間内に先の行の画素ＰＸの発光素子ＬＥＤに駆動電流を流す時間、すなわち点灯時間を制御する。例えば、演算装置ＡＵは、第１比率と第２比率との積を点灯率として算出し、これをＯＮ／ＯＦＦコントロール装置ＣＮＴ２に出力する。
【００３６】
ＯＮ／ＯＦＦコントロール装置ＣＮＴ２は、演算装置ＡＵからの出力に基づいて、ゲートドライバＹＤＲの出力制御信号に関する動作を制御する。具体的には、ＯＮ／ＯＦＦコントロール装置ＣＮＴ２は、ゲートドライバＹＤＲに、出力制御信号を出力制御スイッチＳＷ１で閉じる信号と出力制御スイッチＳＷ１を開く信号との間で切り替えるタイミングを制御する制御信号を出力して、基準期間においてアナログ映像信号を書き込んだ画素ＰＸの基準期間の直後の非選択期間における点灯時間を、基準時間に点灯率を乗じた値とする。なお、この基準時間は、非選択期間よりも短い一定時間である。
【００３７】
表示コントロール装置ＣＮＴ１は、３原色信号から、デジタル映像信号、水平走査制御信号、垂直走査制御信号などの各種信号を生成する。表示コントロール装置ＣＮＴ１は、デジタル映像信号及び水平走査制御信号をデータドライバＸＤＲに出力し、垂直走査制御信号をゲートドライバＹＤＲに出力する。
【００３８】
ＤＣ／ＤＣコンバータＣＶは、電源電圧を安定化すると共に、これを様々なレベルの内部電源電圧に変換する。そして、ＤＣ／ＤＣコンバータＣＶは、これら内部電源電圧を、データドライバＸＤＲ及びゲートドライバＹＤＲに出力する。
【００３９】
この表示装置は、画面の輝度レベルを部分的に変化させたときであっても、観察者は表示が不自然であると感じ難い。これについて、以下に説明する。
【００４０】
図３は、連続する複数のフィールド画像の一例を概略的に示す図である。図４は、連続する複数のフィールド画像の他の例を概略的に示す図である。なお、図３及び図４には、各フィールド画像の隣に表を併記している。これら表の各々において、「ＡＰＬ１」及び「ＡＰＬ２」は、この表の隣に描いたフィールド画像を表示させるのに使用するデジタル映像信号を用いて得られる第１及び第２平均輝度レベルをそれぞれ示している。また、図３及び図４において、破線で囲んだ数値の組み合わせは、各フィールド期間では位置Ａの画素ＰＸについて設定すべき点灯率と、その算出に使用する第１及び第２平均輝度レベルとを示し、一点鎖線で囲んだ数値の組み合わせは、各フィールド期間では位置Ｂの画素ＰＸについて設定すべき点灯率とその算出に使用する第１及び第２平均輝度レベルとを示している。
【００４１】
図３の例では、第１及び第２フィールド期間において映像信号を書き込んだ画素ＰＸの全てが最低階調を表示し、第３及び第４フィールド期間において映像信号を書き込んだ画素ＰＸの９０％が最低階調を表示すると共に１０％が最高階調を表示している。また、第３フィールド期間で映像信号を書き込んだ画素ＰＸのうち最高階調を表示しているものと、第４フィールド期間で映像信号を書き込んだ画素ＰＸのうち最高階調を表示しているものとは同一であり、それら画素ＰＸは複数の行を形成している。
【００４２】
第１及び第２フィールド期間において映像信号を書き込んだ画素ＰＸの全ては最低階調を表示するので、画面上の位置Ａ及びＢの画素ＰＸの第２フィールドにおける点灯時間は、以下の手順に従って算出される。まず、第１フィールド画像を表示させるのに利用したデジタル映像信号から得られる第１平均輝度レベルである０％を第１参照表に参照して、第１比率として１００％を得る。また、第２フィールドにおける第２平均輝度レベルである０％を第２参照表に参照して、第２比率として１００％を得る。次いで、第１比率に第２比率を乗じて、点灯率として１００％を得る。さらに、基準時間Ｔrefに点灯率を乗じることにより、点灯時間としてＴref×１００％を得る。
【００４３】
画面上の位置Ａの画素ＰＸの第３フィールドにおける点灯時間は、以下の手順に従って算出される。まず、第２フィールドにおける第１平均輝度レベルである０％を第１参照表に参照して、第１比率として１００％を得る。また、第３フィールドにおける第２平均輝度レベルである１００％を第２参照表に参照して、第２比率として７０％を得る。次いで、第１比率に第２比率を乗じて、点灯率として７０％を得る。さらに、基準時間Ｔrefに点灯率を乗じることにより、点灯時間としてＴref×７０％を得る。
【００４４】
画面上の位置Ｂの画素ＰＸの第３フィールドにおける点灯時間は、以下の手順に従って算出される。まず、第２フィールドにおける第１平均輝度レベルである０％を第１参照表に参照して、第１比率として１００％を得る。また、第３フィールドにおける第２平均輝度レベルである０％を第２参照表に参照して、第２比率として１００％を得る。次いで、第１比率に第２比率を乗じて、点灯率として１００％を得る。さらに、基準時間Ｔrefに点灯率を乗じることにより、点灯時間としてＴref×１００％を得る。
【００４５】
画面上の位置Ａの画素ＰＸの第４フィールドにおける点灯時間は、以下の手順に従って算出される。まず、第３フィールドにおける第１平均輝度レベルである１０％を第１参照表に参照して、第１比率として１００％を得る。また、第４フィールドにおける第２平均輝度レベルである１００％を第２参照表に参照して、第２比率として７０％を得る。次いで、第１比率に第２比率を乗じて、点灯率として７０％を得る。さらに、基準時間Ｔrefに点灯率を乗じることにより、点灯時間としてＴref×７０％を得る。
【００４６】
画面上の位置Ｂの画素ＰＸの第４フィールドにおける点灯時間は、以下の手順に従って算出される。まず、第３フィールドにおける第１平均輝度レベルである１０％を第１参照表に参照して、第１比率として１００％を得る。また、第４フィールドにおける第２平均輝度レベルである０％を第２参照表に参照して、第２比率として１００％を得る。次いで、第１比率に第２比率を乗じて、点灯率として１００％を得る。さらに、基準時間Ｔrefに点灯率を乗じることにより、点灯時間としてＴref×１００％を得る。
【００４７】
図４の例では、第１及び第２フィールド期間において映像信号を書き込んだ画素ＰＸの全てが最高階調を表示し、第３及び第４フィールド期間において映像信号を書き込んだ画素ＰＸの９０％が最高階調を表示すると共に１０％が最低階調を表示している。また、第３フィールド期間で映像信号を書き込んだ画素ＰＸのうち最低階調を表示しているものと、第４フィールド期間で映像信号を書き込んだ画素ＰＸのうち最低階調を表示しているものとは同一であり、それら画素ＰＸは複数の行を形成している。
【００４８】
第１及び第２フィールド期間において映像信号を書き込んだ画素ＰＸの全ては最高階調を表示するので、画面上の位置Ａ及びＢの画素ＰＸの第２フィールドにおける点灯時間は、以下の手順に従って算出される。まず、第１フィールド画像を表示させるのに利用したデジタル映像信号から得られる第１平均輝度レベルである１００％を第１参照表に参照して、第１比率として５０％を得る。また、第２フィールドにおける第２平均輝度レベルである１００％を第２参照表に参照して、第２比率として７０％を得る。次いで、第１比率に第２比率を乗じて、点灯率として３５％を得る。さらに、基準時間Ｔrefに点灯率を乗じることにより、点灯時間としてＴref×３５％を得る。
【００４９】
画面上の位置Ａの画素ＰＸの第３フィールドにおける点灯時間は、以下の手順に従って算出される。まず、第２フィールドにおける第１平均輝度レベルである１００％を第１参照表に参照して、第１比率として５０％を得る。また、第３フィールドにおける第２平均輝度レベルである０％を第２参照表に参照して、第２比率として１００％を得る。次いで、第１比率に第２比率を乗じて、点灯率として５０％を得る。さらに、基準時間Ｔrefに点灯率を乗じることにより、点灯時間としてＴref×７０％を得る。
【００５０】
画面上の位置Ｂの画素ＰＸの第３フィールドにおける点灯時間は、以下の手順に従って算出される。まず、第２フィールドにおける第１平均輝度レベルである１００％を第１参照表に参照して、第１比率として５０％を得る。また、第３フィールドにおける第２平均輝度レベルである１００％を第２参照表に参照して、第２比率として７０％を得る。次いで、第１比率に第２比率を乗じて、点灯率として３５％を得る。さらに、基準時間Ｔrefに点灯率を乗じることにより、点灯時間としてＴref×３５％を得る。
【００５１】
画面上の位置Ａの画素ＰＸの第４フィールドにおける点灯時間は、以下の手順に従って算出される。まず、第３フィールドにおける第１平均輝度レベルである９０％を第１参照表に参照して、第１比率として５０％を得る。また、第４フィールドにおける第２平均輝度レベルである０％を第２参照表に参照して、第２比率として１００％を得る。次いで、第１比率に第２比率を乗じて、点灯率として５０％を得る。さらに、基準時間Ｔrefに点灯率を乗じることにより、点灯時間としてＴref×５０％を得る。
【００５２】
画面上の位置Ｂの画素ＰＸの第４フィールドにおける点灯時間は、以下の手順に従って算出される。まず、第３フィールドにおける第１平均輝度レベルである９０％を第１参照表に参照して、第１比率として５０％を得る。また、第４フィールドにおける第２平均輝度レベルである１００％を第２参照表に参照して、第２比率として７０％を得る。次いで、第１比率に第２比率を乗じて、点灯率として３５％を得る。さらに、基準時間Ｔrefに点灯率を乗じることにより、点灯時間としてＴref×３５％を得る。
【００５３】
以上の説明から明らかなように、本実施の形態では、上記の点灯時間の制御を行うので、そのような制御を行わない場合と比較して、画面の一部で階調を変化させたときに、この部分において生じる明るさの変化がより小さい。しかも、本実施の形態では、画面の一部で階調を変化させたとしても、これに起因して他の部分の明るさが大きく変化することはない。すなわち、本実施の形態によると、画面の輝度レベルを部分的に変化させたときに、観察者に表示が不自然であると感じさせ難くすることができる。
【００５４】
加えて、本実施の形態では、例えば、画面の大部分で高階調を表示する場合に、点灯時間を短くする。したがって、本実施の形態によると、消費電力を小さくすることができる。
【図面の簡単な説明】
【００５５】
【図１】本発明の一実施の形態に係る表示装置を概略的に示す平面図。
【図２】図１に示す表示装置の等価回路図。
【図３】連続する複数のフィールド画像の一例を概略的に示す図。
【図４】連続する複数のフィールド画像の他の例を概略的に示す図。
【符号の説明】
【００５６】
ＡＵ…演算装置、Ｃ…キャパシタ、ＣＮＴ…制御部、ＣＮＴ１…表示コントロール装置、ＣＮＴ２…ＯＮ／ＯＦＦコントロール装置、ＣＶ…ＤＣ／ＤＣコンバータ、ＤＬ…データ線、ＤＰ…表示パネル、ＤＲ…駆動制御素子、ＧＬ１…ゲート線、ＧＬ２…ゲート線、ＬＥＤ…発光素子、ＭＥＭ１…ＡＰＬ記憶装置、ＭＥＭ２…参照表記憶装置、ＮＤ１…電源端子、ＮＤ２…電源端子、ＰＸ…画素、ＳＵＢ…絶縁基板、ＳＷ１…出力制御スイッチ、ＳＷ２…選択用スイッチ、ＸＤＲ…データドライバ、ＹＤＲ…ゲートドライバ。
【図１】
2007279140.tif 000005
【図２】
2007279140.tif 000006
【図３】
2007279140.tif 000007
【図４】
2007279140.tif 000008